(57)【特許請求の範囲】
【請求項１】
受信部と、
該受信部の後段に設けられ受信周波数を所要値に変換して出力する周波数変換手段と、
前記受信周波数を設定し前記周波数変換手段の動作を制御する制御手段と、
クロック信号を出力し前記制御手段を動作せしめるクロック発振器と、
前記周波数変換手段の後段に設けられ輻射電波の有無を検出する検出手段とを含む受信機において、
前記受信周波数よりも大きい周波数範囲と小さい周波数範囲に受信帯域幅以下の周波数間隔で各々同数の受信チェック用チャネルを前記制御手段に備え、所要の周波数範囲の輻射電波を受信するようにし、
前記クロック信号の周波数がずれたときも前記輻射電波の有無を検出し、
単体で受信チェックを行うように構成したことを特徴とする受信機。
【請求項２】
受信部と、
該受信部の後段に設けられ受信周波数を所要値に変換して出力する周波数変換手段と、
前記受信周波数を設定し前記周波数変換手段の動作を制御する制御手段と、
クロック信号を出力し前記制御手段を動作せしめるクロック発振器と、
前記周波数変換手段の後段に設けられ輻射電波の有無を検出する検出手段とを含み、
前記制御手段は前記受信周波数よりも大きい周波数範囲と小さい周波数範囲に受信帯域幅以下の周波数間隔で各々同数の受信チェック用チャネルを備え、
所定の周波数範囲の輻射電波を受信する受信機の受信動作のテスト方法において、
前記制御手段により周波数が前記受信周波数と同じである受信チャネルに設定した後、
前記周波数が前記受信周波数に近い順に前記受信チェック用チャネルを設定するようにし、
前記制御手段が設定した前記受信チャネル及び各々の前記受信チェック用チャネルで前記輻射電波の有無を前記検出手段により検出するようにしたことを特徴とする受信動作のテスト方法。
【発明の詳細な説明】
【０００１】
【発明の属する技術分野】
本発明は、携帯無線機等の受信機（送信機能も有する無線機も含む。）に関し、更に詳しくは受信動作の点検、確認に好適な受信機に関するものである。
【０００２】
【従来の技術】
従来の一例である受信機について図２、３を参照して説明する。図２はクロック発振器を含む受信機の構成を示すブロック図である。図３は受信機に用いるクロック発振器の構成の一例を示す回路図である。
【０００３】
以下、この受信機の構成及び動作について図２を用いて説明する。アンテナ１にて受信した高周波信号はフロントエンド２にて帯域制限及び増幅され第一ミクサ３へ入力される。一方、クロック発振器１５からのクロック信号が入力されるとマイコン１４は第一局部発振器１３から出力される発振信号の発振周波数を制御し、この発振信号は第一ミクサ３へ入力される。即ちマイコン１４は第一局部発振器１３へ分周数のデータ信号を出力することにより、設定された発振周波数の発振信号が第１ミクサ３へ入力される。（高周波信号の周波数に応じて発振信号の発振周波数が決まる。）フロントエンド２からの高周波信号、第一局部発振器１３からの発振信号が第一ミクサ３に入力されることにより、高周波信号は周波数の低い所定の第一中間周波数に変換される。第一ミクサ３にて第一中間周波数に変換された第一中間周波数信号は、帯域濾波器４にて帯域制限され第一中間周波増幅器５にて増幅され第二ミクサ６に入力される。第二ミクサ６には第二局部発振器１２からの信号が入力され、第一中間周波数信号は更に周波数の低い第二中間周波数に変換される。変換された第二中間周波数信号は、帯域濾波器７にて帯域制限され第二中間周波増幅器８にて増幅された後、復調器９にて復調される。復調された音声帯域信号はベースバンド信号処理回路１０にて帯域制限の処理を施されスピーカ１１から出力される。
【０００４】
次に、受信機不要輻射について説明する。受信機不要輻射とは不要に輻射されるクロック信号の高次成分のことであり、このクロック信号の高次成分はマイコンによりクロック信号を波形整形、分周処理が行われたときに発生する。図２の受信機もクロック信号の高次成分が不要に輻射されることがある。この受信機で受信動作を行わせるとき、クロック信号の高次成分は輻射されるとノイズとなることにより不要であるため、輻射されないようにクロック信号周波数を設定する。（クロック信号の高次成分が輻射されないようにクロック信号周波数を設定する受信機について、その詳細は特願平１１−１９１６８４に示している。）しかし、この受信機で受信動作が正常であるか否かをテストする（以下、「受信動作をチェックする」と記載する。）ときにはクロック信号の高次成分が輻射されるようにクロック信号周波数を設定する。（クロック信号周波数の設定については、後で説明する。）このクロック信号の高次成分はマイコン１４、ベースバンド信号処理回路１０に使用している素子、または素子に接続されている基板上のパターンから輻射される。従って、受信動作をチェックするときは、クロック信号の高次成分が受信周波数帯域内となるように設定し、クロック信号の高次成分を受信したか否かによりにより行う。ノイズスケルチ２５が輻射されたクロック信号の高次成分を検出したとき、検出信号をマイコン１４へ出力する。マイコン１４は検出信号の有無に応じてクロック信号の高次成分を受信したか否かにより受信動作をチェックする。（検出信号がマイコン１４に入力されたとき、クロック信号の高次成分を受信したと判定する。）
次に、クロック信号の周波数の設定について、図３を用いて説明する。クロック発振器１５は水晶振動子１６、コンデンサ１７〜２０、可変容量ダイオード２１、２２、抵抗２３、２４、マイコン１４からの制御信号線２６、２７から構成される。可変容量ダイオード２１、２２にはそれぞれ抵抗２３、２４を介してマイコン１４からの制御信号が印加されている。この制御信号のレベル（ＬレベルかＨレベルか）に応じて可変容量ダイオード２１、２２の電気容量が変化しクロック発振器１５から出力されるクロック信号の周波数が変化する。受信動作をチェックする場合にクロック信号の高次成分が受信帯域内にすることが必要である。クロック信号の高次成分が受信帯域外となったとき、マイコン１４からの制御信号のレベルを変える（ＬレベルのときはＨレベルへ、ＨレベルのときはＬレベルへ変える）ことにより、クロック信号の高次成分が受信帯域内となるようにする。クロック信号の高次成分が受信帯域内に入るか否かを判別するためにマイコン１４に計算させることができる。この計算よりクロック信号の高次成分が受信帯域内となる周波数のクロック信号が出力されるように制御信号のレベルをマイコン１４は設定する。また、複数個のチャネル（受信周波数）を持つ受信機の場合、クロック信号の高次成分が受信帯域内にあるか否かを制御信号のレベルがＬレベルのときとＨレベルのとき両方で計算し、この計算結果に応じて各受信周波数毎に制御信号のレベル（ＬレベルにするかＨレベルにするか）を設定することもできる。そして得られた受信周波数と制御信号のレベルとの関係について、データテーブルとしてマイコン１４に格納しておくことができる。
【０００５】
また、図３のクロック発振器ではマイコン１４からの制御信号のレベルはＬ、Ｈの２段階であるときについて説明したが、（２のｎ乗）段階に増やしてクロック信号周波数を（２のｎ乗）通りに変えることにより、クロック信号周波数を微調整し、必要最小限だけ変えるようにすることもできる（ただし、ｎ≧２）。マイコン１４からの制御信号のレベルを（２のｎ乗）段階に増やすためには、マイコン１４からの制御信号線の数をｎ本（ｎ≧２）にすると共に制御信号をＤ／Ａ変換することが必要である。アナログ信号に変換された制御信号は（２のｎ乗）段階のレベルがあるため、可変容量ダイオード２１、２２の電気容量及びクロック信号周波数を（２のｎ乗）通りに変えることができる。
【０００６】
次に、従来の受信動作のテスト方法（以下、受信チェック方法と称する。）について説明する。受信周波数ｆＲ、受信帯域幅Ｂ、クロック信号周波数ｆＣが下記（１）〜（３）式に示す値のときについて説明する。
【０００７】
受信周波数ｆＲ＝１５４．８２５０（ＭＨｚ）            ………（１）
受信帯域幅Ｂ＝１２（ＫＨｚ）                          ………（２）
（受信する電波の周波数ｆＲ−６（ＫＨｚ）〜ｆＲ＋６（ＫＨｚ））
クロック信号周波数ｆＣ＝３.６８６４（ＭＨｚ）         ………（３）
クロック信号の高次成分の１つであるクロック信号の４２倍波成分ｆ４２が下記（４）、（５）式に示すように受信周波数ｆＲに対して＋３．８ＫＨｚとなり受信帯域内に存在する。従って、クロック信号の４２倍波成分ｆ４２を受信するか否かを検出することにより単体で受信機の受信動作が正常か否かを確認すること（以下、受信チェックと称する。）ができる。
【０００８】
0003804912.tif 000002
クロック信号の４２倍波成分ｆ４２を受信したか否かの検出は、復調器９からの復調信号成分の一部を利用したノイズスケルチ２５が行う。クロック信号の４２倍波成分を受信したとき、ノイズスケルチ２５は検出信号をマイコン１４へ出力する。マイコン１４が検出信号の有無に応じてクロック信号の４２倍波成分を受信したか否かを判別することにより、受信機の各ブロックが正常に動作して受信しているか否かをチェックすることができる。
【０００９】
以上のような受信機の受信動作のチェックをマイコン１４により、例えば受信機の電源を入れたとき、またはマイコン１４に接続されたスイッチを操作したときに行わせるように制御することもできる。また、受信動作をチェックした結果、受信することができる場合は通常の受信動作に移行する。逆に、受信することができない場合、ユーザーに修理を促すよう例えばアラーム表示やアラーム音により報知する。
【００１０】
上記の例は、クロック信号の高次成分が受信機の受信周波数帯域内にある場合について説明したが、クロック信号の高次成分が受信機の受信周波数帯域外である場合、以下の▲１▼、▲２▼により受信チェックを行うことができる。
【００１１】
▲１▼クロック信号の高次成分が受信機の受信帯域内となるようにマイコン１４からの制御信号によりクロック発振器１５から出力するクロック信号の周波数を制御する。
【００１２】
▲２▼シンセサイザ方式の受信機の場合、クロック信号の高次成分が受信機の受信帯域内となるように受信周波数をマイコン１４により制御する。
【００１３】
また、上記の例ではクロック信号の高次成分を受信するか否かを検出する手段としてノイズスケルチを用いた場合について説明したが、ＲＳＳＩ信号を用いても同様にして、クロック信号の高次成分を受信するか否かを検出することができる。
【００１４】
この受信機では、クロック信号の周波数がクロック発振器１５の水晶振動子１６、コンデンサ１７〜２０、可変容量ダイオード２１、２２によって決定される。しかし、水晶振動子１６の周波数偏差及び温度特性とコンデンサ１７〜２０、可変容量ダイオード２１、２２の許容偏差及び温度特性によりクロック信号の周波数がずれることがある。このクロック信号の周波数がずれることにより、クロック信号の高次成分を受信できるか否か検出できないことがある。
【００１５】
次に、検出できない例として水晶振動子１６の周波数偏差による場合について説明する。水晶振動子１６の周波数偏差が例えば±１００ｐｐｍであったとすると、クロック信号の４２倍波成分ｆ４２は、下記（６）、（７）式により１５４．８１３３〜１５４．８４４３（ＭＨｚ）となり、受信帯域内（１５４．８１９０〜１５４．８３１０（ＭＨｚ））に存在しない場合がある。受信帯域内に存在しない場合、クロック信号の４２倍波成分ｆ４２を受信することができないことにより単体で受信チェックを行うことができない。
【００１６】
周波数偏差が＋１００（ｐｐｍ）のとき：
0003804912.tif 000003
周波数偏差が−１００（ｐｐｍ）のとき：
0003804912.tif 000004
次に、検出できない例として水晶振動子１６の温度特性による場合について説明する。水晶振動子１６の温度特性により、受信機の使用される周囲温度によってはクロック信号の４２倍波成分を受信することができないため、単体で受信チェックを行うことができない場合がある。
【００１７】
【発明が解決しようとする課題】
以上のように、従来の受信機ではクロック発振器を構成する部品の許容偏差、温度特性及びバラツキによりクロック信号の周波数がずれることがある。クロック信号の周波数がずれが大きいとき、クロック信号の高次成分が受信機の受信帯域内に存在しない場合がある。この場合、単体で受信チェックを行うことができないという問題が発生する。この問題により、特に相手局との通信が確実に行うことが必要不可欠である職種で用いる受信機、例えば災害救助活動のように人命救助に係わる職種で用いる携帯無線機では、始業前に受信チェックを行うことが必要であり且つ持ち運んで頻繁に相手局と通信を行うため、この受信機を採用することができない。
【００１８】
本発明は以上の点に鑑み、クロック信号の周波数がずれたとき単体で受信チェックを行うことができないという問題を解決するためになされたものである。即ち、クロック発振器を構成する部品の許容偏差、温度特性及びバラツキによりクロック信号の周波数がずれても、受信チェックを単体で確実に行うことができるようにした極めて利便性の良い受信機及び受信チェック方法を提供することを目的とする。
【００１９】
【課題を解決するための手段】
本発明は上記の目的を達成するため、受信周波数の前後に受信帯域幅よりも小さい周波数間隔で受信チェック用チャネル（受信周波数よりも大きい周波数範囲での受信チェック用チャネルの数と受信周波数よりも小さい周波数範囲での受信チェック用チャネルの数が同じとなるようにする。）を制御手段（本実施例では、マイコン）に設けることにより所定の周波数範囲の輻射電波を受信できるようにすることで、クロック発振器から出力されるクロック信号の周波数がずれても輻射電波の有無を検出して単体で受信チェックを行うようにしたものである。そして受信チェックは、制御手段（本実施例では、マイコン）により周波数が受信周波数と同じとなる受信チャネルに設定した後、周波数が受信周波数に近い順に受信チェック用チャネルを設定し、検出手段（本実施例では、ノイズスケルチ）により受信チャネル及び各々の受信チェック用チャネルで輻射電波の有無を検出することにより行うことができるようにしたものである。
【００２０】
【発明の実施の形態】
以下、本発明の一実施例である受信機及び受信チェック方法について図１〜５を参照して説明する。図１は本実施例の受信チェック方法に用いる受信チャネルと受信周波数を示す図である。図２はクロック発振器を含む受信機の構成の一例を示すブロック図である。図３は受信機に用いるクロック発振器の構成の一例を示す回路図である。図４は本実施例の受信チェック方法を示すフローチャートである。図５はスキャン幅（受信周波数よりも大きい周波数で設定される受信チェック用チャネルの数、及び受信周波数よりも小さい周波数で設定される受信チェック用チャネルの数）の計算方法を示すフローチャートである。
【００２１】
以下、この受信機の構成及び動作について図２を用いて説明する。アンテナ１にて受信した高周波信号はフロントエンド２にて帯域制限及び増幅され第一ミクサ３へ入力される。一方、クロック発振器１５からのクロック信号が入力されるとマイコン１４は第一局部発振器１３から出力される発振信号の発振周波数を制御し、この発振信号は第一ミクサ３へ入力される。即ちマイコン１４は第一局部発振器１３へ分周数のデータ信号を出力することにより、設定された発振周波数の発振信号が第１ミクサ３へ入力される。（高周波信号の周波数に応じて発振信号の発振周波数が決まる。）フロントエンド２からの高周波信号、第一局部発振器１３からの発振信号が第一ミクサ３に入力されることにより、高周波信号は周波数の低い所定の第一中間周波数に変換される。第一ミクサ３にて第一中間周波数に変換された第一中間周波数信号は、帯域濾波器４にて帯域制限され第一中間周波増幅器５にて増幅され第二ミクサ６に入力される。第二ミクサ６には第二局部発振器１２からの信号が入力され、第一中間周波数信号は更に周波数の低い第二中間周波数に変換される。変換された第二中間周波数信号は、帯域濾波器７にて帯域制限され第二中間周波増幅器８にて増幅された後、復調器９にて復調される。復調された音声帯域信号はベースバンド信号処理回路１０にて帯域制限の処理を施されスピーカ１１から出力される。
【００２２】
次に、受信機不要輻射について説明する。受信機不要輻射とは不要に輻射されるクロック信号の高次成分のことであり、このクロック信号の高次成分はマイコンによりクロック信号を波形整形、分周処理が行われたときに発生する。図２の受信機もクロック信号の高次成分が不要に輻射されることがある。この受信機で受信動作を行わせるとき、クロック信号の高次成分は輻射されるとノイズとなることにより不要であるため、輻射されないようにクロック信号周波数を設定する。（クロック信号の高次成分が輻射されないようにクロック信号周波数を設定する受信機について、その詳細は特願平１１−１９１６８４に示している。）しかし、この受信機で受信動作をチェックするときにはクロック信号の高次成分が輻射されるようにクロック信号周波数を設定する。（クロック信号周波数の設定については、後で説明する。）このクロック信号の高次成分はマイコン１４、ベースバンド信号処理回路１０に使用している素子、または素子に接続されている基板上のパターンから輻射される。従って、受信動作をチェックするときは、クロック信号の高次成分が受信周波数帯域内となるように設定し、クロック信号の高次成分を受信したか否かにより行う。ノイズスケルチ２５が輻射されたクロック信号の高次成分を検出したとき、検出信号をマイコン１４へ出力する。マイコン１４は検出信号の有無に応じてクロック信号の高次成分を受信したか否かにより受信動作をチェックする。（検出信号がマイコン１４に入力されたとき、クロック信号の高次成分を受信したと判定する。）
次に、クロック信号周波数の設定について、図３を用いて説明する。クロック発振器１５は水晶振動子１６、コンデンサ１７〜２０、可変容量ダイオード２１、２２、抵抗２３、２４、マイコン１４からの制御信号線２６、２７から構成される。可変容量ダイオード２１、２２にはそれぞれ抵抗２３、２４を介してマイコン１４からの制御信号が印加される。この制御信号のレベル（ＬレベルかＨレベルか）に応じて可変容量ダイオード２１、２２の電気容量が変化しクロック発振器１５から出力されるクロック信号の周波数が変化する。受信動作をチェックする場合にクロック信号の高次成分が受信帯域内にすることが必要である。クロック信号の高次成分が受信帯域外となったとき、マイコン１４からの制御信号のレベルを変える（ＬレベルのときはＨレベルへ、ＨレベルのときはＬレベルへ変える）ことにより、クロック信号の高次成分が受信帯域内となるようにする。クロック信号の高次成分が受信帯域内に入るか否かを判別するためにマイコン１４に計算させることができる。この計算よりクロック信号の高次成分が受信帯域内となる周波数のクロック信号が出力されるように制御信号のレベルをマイコン１４は設定する。また、複数個のチャネル（受信周波数）を持つ受信機の場合、クロック信号の高次成分が受信帯域内にあるか否かを制御信号のレベルがＬレベルのときとＨレベルのとき両方で計算し、この計算結果に応じて各受信周波数毎に制御信号のレベル（ＬレベルにするかＨレベルにするか）を設定することもできる。そして得られた受信周波数と制御信号のレベルとの関係について、データテーブルとしてマイコン１４に格納しておくことができる。
【００２３】
また、図３のクロック発振器ではマイコン１４からの制御信号のレベルはＬ、Ｈの２段階であるときについて説明したが、（２のｎ乗）段階に増やしてクロック信号周波数を（２のｎ乗）通りに変えることにより、クロック信号周波数を微調整し、必要最小限だけ変えるようにすることもできる（ただし、ｎ≧２）。マイコン１４からの制御信号のレベルを（２のｎ乗）段階に増やすためには、マイコン１４からの制御信号線の数をｎ本（ｎ≧２）にすると共に制御信号をＤ／Ａ変換することが必要である。アナログ信号に変換された制御信号は（２のｎ乗）段階のレベルがあるため、可変容量ダイオード２１、２２の電気容量及びクロック信号周波数を（２のｎ乗）通りに変えることができる。
【００２４】
次に、本実施例の受信チェック方法の概略について、図１を用いて説明する。
受信周波数ｆＲ、受信帯域幅Ｂ、クロック信号周波数ｆＣが下記（１）〜（３）式に示す値のときについて説明する。
【００２５】
受信周波数ｆＲ＝１５４．８２５０（ＭＨｚ）            ………（１）
受信帯域幅Ｂ＝１２（ＫＨｚ）                          ………（２）
（受信する電波の周波数ｆＲ−６（ＫＨｚ）〜ｆＲ＋６（ＫＨｚ））
クロック信号周波数ｆＣ＝３.６８６４（ＭＨｚ）         ………（３）
クロック信号の高次成分の１つであるクロック信号の４２倍波成分ｆ４２（本実施例でのクロック信号の高次成分）が下記（４）、（５）式に示すように受信周波数ｆＲに対して＋３．８ＫＨｚとなり受信帯域内に存在するため、一見するとクロック信号の４２倍波成分ｆ４２（本実施例でのクロック信号の高次成分）を受信するか否かをノイズスケルチ２５が検出することにより単体で受信チェックを行うことができるようにみえる。
【００２６】
0003804912.tif 000005
しかし、水晶振動子１６の周波数偏差が例えば±１００（ｐｐｍ）であるとき、クロック信号の４２倍波成分ｆ４２（本実施例でのクロック信号の高次成分）の周波数は、下記（６）、（７）式により１５４．８１３３〜１５４．８４４３（ＭＨｚ）となり、受信機の受信帯域内（１５４．８１９０〜１５４．８３１０（ＭＨｚ））に存在しない場合がある。
【００２７】
周波数偏差が＋１００（ｐｐｍ）のとき：
0003804912.tif 000006
周波数偏差が−１００（ｐｐｍ）のとき：
0003804912.tif 000007
そこで、受信周波数ｆＲ＝１５４．８２５０（ＭＨｚ）を中心としてこの受信周波数の前後に受信帯域幅ｂ＝１２（ＫＨｚ）よりも小さい周波数間隔で、例えば１０（ＫＨｚ）の周波数間隔で受信チェック用チャネルをマイコン１４に４個設ける。受信周波数ｆＲよりも周波数の大きい受信チェック用チャネルは２個とし、この受信チェック用チャネルの周波数は１５４．８３５０（ＭＨｚ）、１５４．８４５０（ＭＨｚ）とする。一方、受信周波数ｆＲよりも周波数の小さい受信チェック用チャネルは２個とし、この受信チェック用チャネルの周波数は１５４．８０５０（ＭＨｚ）、１５４．８１５０（ＭＨｚ）とする。受信周波数ｆＲよりも大きい周波数の受信チェック用チャネルを２個、受信周波数ｆＲよりも小さい周波数の受信チェック用チャネルを２個設けることにより、１５４．８１３３〜１５４．８４４３（ＭＨｚ）の周波数範囲でクロック信号の４２倍波成分ｆ４２（本実施例でのクロック信号の高次成分）を受信することができる。そして、受信周波数ｆＲ＝１５４．８２５０（ＭＨｚ）の受信チャネルを例えばｐ０チャネル、周波数１５４．８０５０（ＭＨｚ）、１５４．８１５０（ＭＨｚ）、１５４．８３５０（ＭＨｚ）、１５４．８４５０（ＭＨｚ）の受信チェック用チャネルを例えばそれぞれｑ２チャネル、ｑ１チャネル、ｐ１チャネル、ｐ２チャネルとする。そして受信チャネル及び各々の受信チェック用チャネルで、クロック信号の４２倍波成分ｆ４２（本実施例でのクロック信号の高次成分）を受信するか否かをチェックする。例えばｐ０チャネル、ｐ１チャネル、ｑ１チャネル、ｐ２チャネル、ｑ２チャネルの順番でチャネル（受信チャネル及び各々の受信チェック用チャネル）を変えてクロック信号の４２倍波成分ｆ４２（本実施例でのクロック信号の高次成分）を受信するか否かをチェックする。このチェックにより、クロック信号の４２倍波成分ｆ４２が受信周波数帯域内にないときでも確実に受信することができる。クロック信号の４２倍波成分ｆ４２を受信したとき、復調器９からの復調信号成分の一部を利用したノイズスケルチ２５によりクロック信号の４２倍波成分ｆ４２（本実施例でのクロック信号の高次成分）が検出される。そして、ノイズスケルチ２５は検出信号をマイコン１４へ出力し、マイコン１４は検出信号の有無によりクロック信号の４２倍波成分ｆ４２（本実施例でのクロック信号の高次成分）を受信するか否かを判別する。この判別により受信機全体の各ブロックが正常に動作しているか、即ち受信できるか否かをチェックすることができる。もし受信できなかったとき、受信機に異常があるのでユーザーに修理を促すように例えばアラーム表示やアラーム音により報知する。
【００２８】
次に、本実施例の受信チェック方法の詳細について、図４を用いて説明する。
受信周波数ｆＲ、受信帯域幅Ｂ、クロック信号周波数ｆＣが上記（１）〜（３）式に示す値のときについて説明する。初期設定でｍ＝０とすることにより受信チャネルをｐ０チャネルにする（ステップ３０）と、スキャン幅ｎが計算される（ステップ３１）。スキャン幅ｎとは、受信動作をチェックするとき、受信周波数ｆＲよりも大きい周波数で設定される受信チェック用チャネルの数、受信周波数ｆＲよりも小さい周波数で設定される受信チェック用チャネルの数である。本実施例ではスキャン幅ｎ＝２である。（スキャン幅ｎの計算方法については後で詳細に説明する。）スキャン幅ｎが算出された後、周波数が受信周波数ｆＲ（ｆＲ＝１５４．８２５０（ＭＨｚ））に設定される（ステップ３２）。そして、輻射電波（キャリア）であるクロック信号の４２倍波成分ｆ４２（本実施例でのクロック信号の高次成分）を受信するか否かを検出する（ステップ３３）。クロック信号の４２倍波成分ｆ４２（本実施例でのクロック信号の高次成分）を検出したとき、受信動作が行えると判定し、通常動作モード（受信モード）へ移行する（ステップ４０）。逆に、クロック信号の４２倍波成分ｆ４２（本実施例でのクロック信号の高次成分）を検出しなかったとき、ｍ＝１とし受信チェック用チャネルをｐ１チャネルに変える（ステップ３４）ことで周波数が受信周波数ｆＲよりも１０（ＫＨｚ）大きい周波数１５４．８３５０（ＭＨｚ）に設定される（ステップ３５）。そして、輻射電波（キャリア）であるクロック信号の４２倍波成分ｆ４２（本実施例でのクロック信号の高次成分）を受信するか否かを検出する（ステップ３６）。クロック信号の４２倍波成分ｆ４２（本実施例でのクロック信号の高次成分）を検出したとき、受信動作が行えると判定し、通常動作モード（受信モード）へ移行する（ステップ４０）。逆に、クロック信号の４２倍波成分ｆ４２（本実施例でのクロック信号の高次成分）を検出しなかったとき、マイコン１４は受信チェック用チャネルをｑ１チャネルに変える（ステップ３７）ことで周波数が受信周波数ｆＲよりも１０（ＫＨｚ）小さい周波数１５４．８１５０（ＭＨｚ）に設定される。そして、輻射電波（キャリア）であるクロック信号の４２倍波成分ｆ４２（本実施例でのクロック信号の高次成分）を受信するか否かを検出する（ステップ３８）。クロック信号の４２倍波成分ｆ４２（本実施例でのクロック信号の高次成分）を検出したとき、受信動作が行えると判定し、通常動作モード（受信モード）へ移行する（ステップ４０）。逆に、クロック信号の４２倍波成分ｆ４２（本実施例でのクロック信号の高次成分）を検出しなかったとき、ｍがスキャン幅ｎ（本実施例では、ｎ＝２）以上であるか否かを判定する（ステップ３９）。本実施例ではｍ＝１よりｍ＜ｎとなるので、ｍ＝２として受信チェック用チャネルがｐ２チャネル（周波数がｆＲ＋２×１０（ＫＨｚ））のとき、またはｑ２チャネル（周波数がｆＲ−２×１０（ＫＨｚ））のときに輻射電波（キャリア）であるクロック信号の４２倍波成分ｆ４２（本実施例でのクロック信号の高次成分）を受信するか否かを検出する（ステップ３４〜３９）。クロック信号の４２倍波成分ｆ４２（本実施例でのクロック信号の高次成分��を検出したとき、受信動作が行えると判定し、通常動作モード（受信モード）へ移行する（ステップ４０）。逆に、クロック信号の４２倍波成分ｆ４２（本実施例でのクロック信号の高次成分）を検出しなかったとき、ｍ＝２よりスキャン幅ｎと同じ値であることで輻射電波を受信できないため受信機に異常があると判定される（ステップ３９）。受信機の異常をユーザーに報知して修理を促すように、例えばアラーム表示をしたり、またはアラーム音を出力する（ステップ４１）。
【００２９】
次に、スキャン幅ｎの計算方法について図５を用いて説明する。受信周波数ｆＲ、受信帯域幅Ｂ、クロック信号周波数ｆＣが上記（１）〜（３）式に示す値であると共に周波数偏差ｐ＝±１００（ｐｐｍ）のときについて説明する。まず、クロック信号の４２倍波成分ｆ４２（本実施例でのクロック信号の高次成分）の最大周波数ｆＵ、最小周波数ｆＤを下記（８）、（９）式よりそれぞれ求める（ステップ５０）。
【００３０】
0003804912.tif 000008
ｆＲ：受信周波数（例えば、１５４．８２５０（ＭＨｚ））
Ｎ：クロック信号の高次成分の周波数とクロック信号の周波数との比
（例えば、４２）
ｐ：周波数偏差
（例えば、（６）式のときは＋１００（ｐｐｍ））
（例えば、（７）式のときは−１００（ｐｐｍ））
次に、初期設定でＬ＝１とし（ステップ５１）、ｐ１チャネルのときの周波数ｆｐ１、ｑ１チャネルのときの周波数ｆｑ１を下記（１０）、（１１）式よりそれぞれ求める（ステップ５２、５３）。
【００３１】
0003804912.tif 000009
ｆＲ：受信周波数（例えば、１５４．８２５０（ＭＨｚ））
Ｕ：周波数間隔（例えば、１０．０（ＫＨｚ）＝０．０１０（ＫＨｚ））
次に、ｐ１チャネルのときの周波数ｆｐ１とクロック信号の４２倍波成分ｆ４２（本実施例でのクロック信号の高次成分）の最大周波数ｆＵとの差の絶対値、ｑ１チャネルのときの周波数ｆｑ１とクロック信号の４２倍波成分ｆ４２（本実施例でのクロック信号の高次成分）の最小周波数ｆＤとの差の絶対値を下記（１２）、（１３）式よりそれぞれ求める。そして、各々の絶対値とｂ／２（ｂ：受信帯域幅）との大小を比較する。（ステップ５４〜５６）。
【００３２】
0003804912.tif 000010
ｆＵ：クロック信号の４２倍波成分の最大周波数（ＭＨｚ）
ｆＤ：クロック信号の４２倍波成分の最小周波数（ＭＨｚ）
ｆｐ１：ｐ１チャネルのときの周波数（ＭＨｚ）
ｆｑ１：ｑ１チャネルのときの周波数（ＭＨｚ）
上記（１２）式より｜ｆＵ−ｆｐ１｜＞ｂ／２であること及び図１から、クロック信号の４２倍波成分ｆ４２（本実施例でのクロック信号の高次成分）の最大周波数ｆＵはｐ１チャネルの周波数帯域には入らない。一方、上記（１３）式より｜ｆｑ１−ｆＤ｜≦ｂ／２であること及び図１から、クロック信号の４２倍波成分ｆ４２（本実施例でのクロック信号の高次成分）の最小周波数ｆＤはｑ１チャネルの周波数帯域に入る。クロック信号の４２倍波成分ｆ４２（本実施例でのクロック信号の高次成分）の最大周波数ｆＵがｐ１チャネルの周波数帯域に入らないがクロック信号の４２倍波成分ｆ４２（本実施例でのクロック信号の高次成分）の最小周波数ｆＤがｑ１チャネルの周波数帯域に入るときは、Ｌ＝２とし（ステップ５８）、ｐ２チャネルのときの周波数ｆｐ２を下記（１４）式より求める（ステップ６１）。
【００３３】
0003804912.tif 000011
ｆＲ：受信周波数（例えば、１５４．８２５０（ＭＨｚ））
Ｕ：周波数間隔（例えば、１０．０（ＫＨｚ）＝０．０１０（ＫＨｚ））
次に、ｐ２チャネルのときの周波数ｆｐ２とクロック信号の４２倍波成分ｆ４２（本実施例でのクロック信号の高次成分）の最大周波数ｆＵとの差の絶対値を下記（１５）式より求める。そして、求めた絶対値とｂ／２（ｂ：受信帯域幅）との大小を比較する。（ステップ６３）。
【００３４】
0003804912.tif 000012
ｆＵ：クロック信号の４２倍波成分の最大周波数（ＭＨｚ）
ｆｐ２：＋２チャネルのときの周波数（ＭＨｚ）
上記（１５）式より｜ｆＵ−ｆｐ２｜≦ｂ／２であること及び図１から、クロック信号の４２倍波成分ｆ４２（本実施例でのクロック信号の高次成分）の最大周波数ｆＵはｐ２チャネルの周波数帯域には入る。本実施例の様に、クロック信号の高次成分（例えば、クロック信号の４２倍波成分ｆ４２）の最大周波数ｆＵがｐ２チャネルの周波数帯域に入るとき、スキャン幅ｎ＝２とする（ステップ６５）。一方、クロック信号の高次成分（例えば、クロック信号の４２倍波成分ｆ４２）の最大周波数ｆＵがｐ２チャネルの周波数帯域に入らないとき、Ｌを１ずつ大きくしクロック信号の高次成分（例えば、クロック信号の４２倍波成分ｆ４２）の最大周波数ｆＵがｐＬチャネルの周波数帯域に入るか否かを計算する。そして、例えばクロック信号の高次成分（例えば、クロック信号の４２倍波成分ｆ４２）がｐ５チャネルの周波数帯域に入るとき、スキャン幅ｎ＝５とする（ステップ５８、６１、６３、６５）。
【００３５】
以上のように、クロック信号の高次成分（例えば、クロック信号の４２倍波成分ｆ４２）の最小周波数ｆＤが周波数帯域に入る受信チェック用チャネルを先に求めることができた場合、クロック信号の高次成分（例えば、クロック信号の４２倍波成分ｆ４２）の最大周波数ｆＵが周波数帯域に入る受信チェック用チャネルがｐｎチャネルであるとき、スキャン幅はｎとなる。
【００３６】
逆に、クロック信号の高次成分（例えば、クロック信号の４２倍波成分ｆ４２）の最大周波数ｆＵが周波数帯域に入る受信チェック用チャネルを先に求めることができた場合、クロック信号の高次成分（例えば、クロック信号の４２倍波成分ｆ４２）の最小周波数ｆＤが周波数帯域に入る受信チェック用チャネルがｑｎチャネルであるとき、スキャン幅はｎとなる（ステップ５９、６２、６４、６６）。
【００３７】
また、クロック信号の高次成分（例えば、クロック信号の４２倍波成分ｆ４２）の最小周波数ｆＤが周波数帯域に入る受信チェック用チャネルがｑｎチャネルであると共に、クロック信号の高次成分（例えば、クロック信号の４２倍波成分ｆ４２）の最大周波数ｆＵが周波数帯域に入る受信チャネルがｐｎチャネルであるとき、スキャン幅はｎとなる（ステップ５４、５６、６０）。
【００３８】
以上のように、本実施例の受信機及び受信チェック方法では、周波数偏差によりクロック信号の周波数がずれても、単体で確実に受信動作をチェックすることができる。周波数偏差によるクロック信号周波数のずれ以外でも、クロック発振器を構成する部品の偏差、温度特性によりクロック信号周波数がずれた場合でも、同様にして単体で確実に受信動作をチェックすることができる。
【００３９】
【発明の効果】
以上説明したように本発明によれば、例えば測定器、相手局、更に回路（受信チェック用回路）を追加することなく、クロック信号周波数がずれた場合でも単体で受信動作をチェックすることができる。従って、極めて利便性の良い受信機及び受信チェック方法を提供することができる。
【図面の簡単な説明】
【図１】本発明の一実施例である受信チェック方法に用いる受信チャネルと受信周波数との関係を示す図
【図２】クロック発振器を含む受信機の構成の一例を示すブロック図
【図３】受信機に用いるクロック発振器の構成の一例を示す回路図
【図４】本発明の一実施例である受信チェック方法を示すフローチャート
【図５】スキャン幅の計算方法の一例を示すフローチャート
【符号の説明】
１．アンテナ                          ２．フロントエンド
３．第一ミクサ                        ４．帯域濾波器
５．第一中間周波増幅器                ６．第二ミクサ
７．帯域濾波器                        ８．第二中間周波増幅器
９．復調器                            １０．ベースバンド信号処理回路
１１．スピーカ                        １２．第二局部発振器
１３．第一局部発振器                  １４．マイコン
１５．クロック発振器                  １６．水晶振動子
１７．１８．１９．２０．コンデンサ    ２１．２２．可変容量ダイオード
２３．２４．抵抗                      ２５．ノイズスケルチ
２６．２７．マイコンからの制御信号線
３０〜４１．図４のフローチャートのブロック
５０〜６６．図５のフローチャートのブロック
【図１】
0003804912.tif 000013
【図２】
0003804912.tif 000014
【図３】
0003804912.tif 000015
【図４】
0003804912.tif 000016
【図５】
0003804912.tif 000017